(57)【要約】【課題】移動体端末装置内のアプリケーションの管理する画像を適切なデータサイズに圧縮する。【解決手段】アプリケーション３３が、自身が管理する画像の圧縮を、圧縮後の目標サイズ及び画像データの位置を指定して、画像圧縮処理を管理する基本処理部３１に実行環境部３２を介して要求する。引き続き、圧縮要求を受信した基本処理部３１が当該画像の圧縮処理を、画像圧縮部１９を利用して行う。そして、圧縮処理の結果が、基本処理部３１から実行環境部３２を介してアプリケーションに通知される。【選択図】  図６
2004343405.tif 000002
【特許請求の範囲】
【請求項１】
画像の圧縮処理を管理する基本処理部を備える移動体端末装置における画像処理方法であって、
前記基本処理部とは異なるアプリケーションが、前記アプリケーションが管理する画像の圧縮を前記基本処理部に要求する圧縮要求工程と；
前記基本処理部が前記画像の圧縮処理を行う圧縮処理工程と；
前記圧縮処理の結果を前記アプリケーションに通知する圧縮結果通知工程と；を備える画像処理方法。
【請求項２】
前記圧縮要求工程では、前記アプリケーションが圧縮後の目標サイズ及び圧縮率のいずれか一方を指定して、前記画像の圧縮を前記基本処理部に要求する、ことを特徴とする請求項１に記載の画像処理方法。
【請求項３】
前記目標サイズ及び前記圧縮率は、前記圧縮後の画像のデータを含む電子メールの受信装置の種類に応じて定められる、ことを特徴とする請求項２に記載の画像処理方法。
【請求項４】
前記画像は、前記基本制御部によって制御される撮像装置による撮像結果に基づいて作成される、ことを特徴とする請求項１〜３のいずれか一項に記載の画像処理方法。
【請求項５】
移動体端末装置に搭載される画像処理装置であって、
画像の圧縮処理を管理する基本処理部と；
前記基本処理部とは異なるアプリケーションの実行のための実行環境を提供し、前記アプリケーションが管理する画像の圧縮要求を前記基本処理部に伝達するとともに、前記基本処理部による前記画像の圧縮結果を前記アプリケーションに伝達する実行環境部と；を備える画像処理装置。
【請求項６】
前記基本処理部によって制御される撮像装置を更に備え、
前記実行環境部は、前記撮像装置による撮像結果を前記アプリケーションに伝達する、ことを特徴とする請求項５に記載の画像処理装置。
【請求項７】
基地局との間で無線通信を行う無線通信手段と；
請求項５又は６に記載の画像処理装置と；を備える移動体端末装置。
【発明の詳細な説明】
【０００１】
【発明の属する技術分野】
本発明は、画像処理方法、画像処理装置及び移動体端末装置に係り、より詳しくは、画像の圧縮処理を管理する基本処理部とは異なるアプリケーションが管理する画像の圧縮を行う画像処理方法及び画像処理装置、並びに当該画像処理装置を備える移動体端末処理に関するものである。
【０００２】
【従来の技術】
従来から、携帯電話等の移動体端末装置が広く普及している。こうした移動体端末装置の機能や性能の向上は目覚しく、移動体端末装置としての必須機能である通話機能や文字メールの送受信機能に加えて、移動体端末装置に備えられた撮像装置の撮像結果を電子メールに含んで送受信する機能も一般化しつつある。
【０００３】
こうした移動体端末装置におけるメール機能は、移動体端末装置の必須機能を果たすための処理、及び、移動体端末が備える各種ハードウエア資源を管理する基本処理部によって実現されているのが現状である。すなわち、移動体端末装置の利用者の指令に応じて、基本処理部が撮像装置を制御して撮像し、その撮像結果である画像を含んだメールを、利用者から指定された相手先へ送信している。
【０００４】
【発明が解決しようとする課題】
ところで、画像を含んだメールにおけるデータサイズは、移動体端末の機種により固定されている。例えば、第２世代の携帯電話では６ｋバイト以下であり、第２．５世代又は第３世代の携帯電話では１２ｋバイト以内又は３０ｋバイト以内が一般的であり、後の世代の機種ほど、データサイズが大きくなる傾向にある。そして、こうしたデータサイズに応じて、携帯電話の各機種の送信メール添付サイズや受信可能サイズが機種ごとに定められている。
【０００５】
このため、メール処理を基本機能部のみによって行うのでは、同機種間では画像メールの送受信ができることは保証されているが、異機種間では画像を含んだメールの送受信ができることは保証されていない。例えば、第２世代の携帯電話から第２．５世代又は第３世代の携帯電話への画像を含んだメールの送信は可能であったが、第２．５世代又は第３世代の携帯電話から第２世代の携帯電話への画像を含んだメールの送信はできないことがしばしば発生していた。
【０００６】
また、撮像装置による撮像結果の画像をアプリケーションで編集すると、一般にデータサイズが大きくなる。その結果として送信メール添付サイズや送信先の受信可能サイズを超えてしまうことが発生することも考えられる。このため、利用者が、アプリケーションを利用した画像編集を行った結果をメールとして送受信することは一般にはできなかった。
【０００７】
さらに、画面表示における壁紙画像をアプリケーションにより作成する際に、作成結果が、表示領域よりも大きくなってしまった場合には、利用者が気に入ったものであっても、壁紙として採用することができなかった。
【０００８】
本発明は、上記の事情を鑑みてなされたものであり、移動体端末装置内のアプリケーションの管理する画像を適切なデータサイズに圧縮することができる画像処理方法及び画像処理装置を提供することを目的とする。
【０００９】
また、本発明は、アプリケーションが管理する画像を適切なデータサイズに圧縮することができる移動体端末装置を提供することを目的とする。
【００１０】
【課題を解決するための手段】
本発明の画像処理方法は、画像の圧縮処理を管理する基本処理部を備える移動体端末装置における画像処理方法であって、前記基本処理部とは異なるアプリケーションが、前記アプリケーションが管理する画像の圧縮を前記基本処理部に要求する圧縮要求工程と；前記基本処理部が前記画像の圧縮処理を行う圧縮処理工程と；前記圧縮処理の結果を前記アプリケーションに通知する圧縮結果工程と；を備える画像処理方法である。
【００１１】
この画像処理方法では、まず、圧縮要求工程において、アプリケーションが、自身が管理する画像の圧縮を、画像の圧縮処理を管理する基本処理部に要求する。この圧縮要求に際して、アプリケーションは、圧縮対象となる画像のデータ又はその所在位置、並びに操作者の指令等により指定された圧縮後の目標サイズ及び圧縮率のいずれか一方を指定する。
【００１２】
引き続き、上記の圧縮要求を受信した基本処理部が当該画像の圧縮処理を行う。この圧縮処理では、例えば、基本処理部が、画像圧縮用のハードウエア資源を利用して、画像の圧縮を行う。
【００１３】
そして、圧縮結果通知工程において、圧縮処理の結果がアプリケーションに通知される。例えば、アプリケーションには、圧縮処理の完了とともに圧縮された画像のデータ又はその所在位置が、圧縮処理の結果として通知される。
【００１４】
したがって、本発明の画像処理方法によれば、移動体端末装置内のアプリケーションが管理する画像を適切なデータサイズに圧縮することができ、かつ、圧縮後のデータをアプリケーションが取得することができる。
【００１５】
本発明の画像処理方法では、前記目標サイズ及び前記圧縮率を、前記圧縮後の画像のデータを含む電子メールの受信装置の種類に応じて定めることとすることができる。かかる場合には、アプリケーションの要求により圧縮した画像のデータサイズを、電子メールの送信先における受信装置の種類に応じて定めるので、圧縮した画像のデータを含むメールとして当該送信先で受信可能な態様で送信することができる。
【００１６】
また、本発明の画像処理方法では、前記画像を、前記基本制御部によって制御される撮像装置による撮像結果に基づいて作成することができる。かかる場合には、アプリケーションが、撮像装置による撮像結果を画像編集した結果を、所望のデータサイズに圧縮することができる。
【００１７】
本発明の画像処理装置は、移動体端末装置に搭載される画像処理装置であって、画像の圧縮処理を管理する基本処理部と；前記基本処理部とは異なるアプリケーションの実行のための実行環境を提供し、前記アプリケーションが管理する画像の圧縮要求を前記基本処理部に伝達するとともに、前記基本処理部による前記画像の圧縮結果を前記アプリケーションに伝達する実行環境部と；を備える画像処理装置である。
【００１８】
この画像処理装置では、実行環境部が、アプリケーションが発した圧縮処理要求を受けると、その圧縮処理要求を基本制御部へ伝達する。引き続き、圧縮要求を受信した基本処理部が当該画像の圧縮処理を行う。そして、基本処理部による圧縮結果を受信した実行環境部は、その圧縮結果をアプリケーションに通知する。
【００１９】
すなわち、本発明の画像処理装置によれば、上述した本発明の画像処理方法を使用して、アプリケーションが管理する画像を圧縮する。したがって、本発明の画像処理装置によれば、移動体端末装置内のアプリケーションが管理する画像を適切なデータサイズに圧縮することができ、かつ、圧縮後のデータをアプリケーションが取得することができる。
【００２０】
本発明の画像処理装置は、前記基本処理部によって制御される撮像装置を更に備え、前記実行環境部が、前記撮像装置による撮像結果を前記アプリケーションに伝達する構成とすることができる。かかる場合には、アプリケーションが、撮像装置による撮像結果を画像編集した結果を、所望のデータサイズに圧縮することが可能となる。
【００２１】
本発明の移動体端末装置は、基地局との間で無線通信を行う無線通信手段と；本発明の画像処理装置と；を備える移動体端末装置である。この移動体端末装置によれば、上述した本発明の画像処理装置により、アプリケーションの管理する画像を圧縮することができるので、アプリケーションの管理する画像を適切なデータサイズに圧縮することができ、かつ、圧縮後のデータをアプリケーションが取得することができる。
【００２２】
【発明の実施の形態】
以下、本発明の一実施形態を、図１〜図９を参照しつつ説明する。
【００２３】
図１及び図２には、一実施形態に係る移動体端末装置である携帯電話１０の構成が概略的に示されている。ここで、図１（Ａ）には、携帯電話１０の外観の正面図が示され、図１（Ｂ）には、携帯電話１０の外観の裏面図が示されている。また、図２には、携帯電話１０の機能ブロック構成が示されている。
【００２４】
図１及び図２において総合的に示されるように、携帯電話１０は、（ａ）制御部２１、送受信部２２及び記憶装置２３を備える携帯電話本体１１と、（ｂ）電話番号を制御部２１へ入力するためのテンキー、及び、動作モードの切替等の各種指令を制御部２１へ入力するためのファンクションキーを有する操作部１２と、（ｃ）制御部２１による指令に応じて、操作案内、動作状況、受信メッセージ等を表示する液晶表示装置を有する表示部１３とを備えている。また、携帯電話１０は、（ｄ）通話時に通信相手から送られてきた音声信号を再生する通話用スピーカ１４と、通話時に音声を入力するためのマイクロフォン１５と、（ｅ）制御部２１による指令に応じて、着信音や案内音を発生するための案内用スピーカ１６と、（ｆ）送受信部２２と接続され、基地局との間で無線信号を授受するためのアンテナ１７とを備えている。また、携帯電話１０は、（ｇ）制御部２１による指令に応じて、その視野内の像を撮像する撮像部１８と、（ｈ）制御部２１による指令に応じて、画像圧縮を行う画像圧縮部１９を備えている。
【００２５】
上記の制御部２１は、中央処理装置（ＣＰＵ）、デジタル信号処理装置（ＤＳＰ）、ランダムアクセスメモリ（ＲＡＭ）、リードオンリメモリ（ＲＯＭ）を備えており、一般的な携帯電話機能を実現するために、様々なデータ処理を行うとともに、上述した他の構成要素の動作制御を行うようになっている。この制御部２１において実行されるプログラム等のソフトウエアの構成は、図３に示されるようになっている。
【００２６】
すなわち、制御部２１におけるソフトウエアは、（ｉ）携帯電話としての基本機能である通話機能及びメール機能を実現するとともに、上述した各種のハードウエア資源の制御を行う基本処理部３１と、（ｉｉ）ゲーム等の様々なコンテンツを利用者に提供するためのアプリケーション３３と、（ｉｉｉ）基本処理部３１とアプリケーション３３との間に位置し、アプリケーション３３の実行環境を提供する実行環境部３２とから構成されている。ここで、実行環境部３２は、アプリケーション３３と基本処理部３１との間のコマンド変換、アプリケーション３３の管理等のアプリケーション実行のためのソフトウエア資源を提供する一組のプログラムである。
【００２７】
なお、基本処理部３１及び実行環境部３２は、携帯電話１０の工場出荷時から携帯電話に実装されている。一方、アプリケーション３３は、操作者による操作部１２の操作によって送受信部２２等からダウンロードされた後に実装される。また、携帯電話１０におけるアプリケーションの数は１つに限られる訳ではなく、通常は携帯電話１０内に存在しているが、図３においては、模式的に１つのアプリケーション３３のみが示されている。
【００２８】
基本処理部３１と実行環境部３２との間では、アプリケーション３３に関連して、要求、応答、イベント発生等の情報が適宜やり取りされるようになっている。また、実行環境部３２とアプリケーション３３との間では、アプリケーション３３からの各種の要求が実行環境部３２に通知されるとともに、実行環境部３２から応答やイベント発生が通知されるようになっている。
【００２９】
画像圧縮部１９は、制御部２１（より詳しくは基本処理部３１）からの目標サイズを指定した画像圧縮指令に応じて、原画像を目標サイズ以下に圧縮する。なお、画像圧縮部１９は、ＪＰＥＧ（Ｊｏｉｎｔ  Ｐｈｏｔｏｇｒａｐｈ  Ｅｘｐｅｒｔ  Ｇｒｏｕｐ）形式やＰＮＧ（Ｐｏｒｔａｂｌｅ  Ｎｅｔｗｏｒｋ  Ｇｒａｐｈｉｃｓ）形式に則った画像圧縮を行うことが可能であり、更に両形式間における変換を行うことも可能となっている。
【００３０】
次に、以上のように構成された携帯電話１０による、画像圧縮処理について説明する。なお、以下では、撮像装置１８による撮像結果をアプリケーション３３が画像編集した後、その編集後の内容を添付ファイルとするメール送信するという一連の動作とともに、この動作中における画像圧縮処理を例に挙げて説明する。
【００３１】
まず、図４のステップＳ１１において、アプリケーション３３の要求による撮像装置１８を用いた撮像が行われる。かかる撮像は、図５に示されるシーケンスに従って行われる。なお、図５は、縦軸を時間軸とした時系列に表したシーケンス図である。
【００３２】
ステップＳ１１における撮像では、まず、アプリケーション３３が実行環境部３２に対して撮像要求を通知する。この撮像要求を受信した実行環境部３２は、基本処理部３１に対して撮像要求を行う。
【００３３】
撮像要求を受信した基本制御部３１は、操作者の指令を参照しつつ撮像部１８を制御して撮像を行う。そして、撮像が終了すると、基本制御部３１は、実行環境部３２に対して、撮像が終了した旨及び撮像結果が格納された位置（撮像結果データのアドレス又は撮像結果データを収めたファイルへのパス）を実行環境部３２へ通知する。この通知を受けた実行環境部は、アプリケーション３３に対して、撮像が終了した旨及び撮像結果が格納された位置を通知する。そして、アプリケーション３３は、操作者の指令を参照しながら、撮像結果を、自身が管理するファイルへ格納する。こうしてステップＳ１１における撮像動作が終了する。なお、基本処理部３１は、必要に応じて、撮像部１８が撮像した画像のデータを、所定形式（例えばＪＰＥＧ形式）で所定サイズに圧縮し、この圧縮結果を撮像結果とするようになっている。
【００３４】
図４に戻り、次に、ステップＳ１２において、アプリケーション３３が撮像された画像を編集する。かかる編集に際しては、まず、アプリケーション３３が、実行環境部３２から通知された撮像結果が格納された位置から撮像結果を読み出す。引き続き、ステップＳ１３において、アプリケーション３３が、操作者の指令に従って、撮像結果の画像を編集し、所望の画像を作成する。
【００３５】
次いで、ステップＳ１３において、アプリケーション３３の要求による、画像圧縮部１９を用いた、当該所望の画像のデータを送信先の通信端末の受信サイズに適合するデータサイズとする画像圧縮が行われる。かかる画像圧縮は、図６に示されるシーケンスに従って行われる。なお、図６は、図５と同様に、縦軸を時間軸とした時系列に表したシーケンス図である。
【００３６】
ステップＳ１３における画像圧縮では、まず、アプリケーション３３が、実行環境部３２に対して、圧縮対象である画像のデータ及び目標サイズを指定した圧縮要求を通知する。この圧縮要求を受信した実行環境部３２は、基本処理部３１に対して、圧縮対象である画像のデータ及び目標サイズを指定した圧縮要求を行う。
【００３７】
圧縮要求を受信した基本制御部３１は、操作者の指令を参照しつつ画像圧縮部１９を制御して、目標サイズを目指した画像圧縮を行う。そして、圧縮が終了すると、基本制御部３１は、実行環境部３２に対して、圧縮が終了した旨及び圧縮結果データを通知する。この通知を受けた実行環境部は、アプリケーション３３に対して、圧縮が終了した旨及び圧縮結果データを通知する。そして、アプリケーション３３は、操作者の指令を参照しながら、圧縮された画像のデータを、自身が管理するファイルへ格納する。こうしてステップＳ１３における圧縮動作が終了する。
【００３８】
図４に戻り、次に、ステップＳ１４において、ステップＳ１３において圧縮された画像のデータのファイルを添付ファイルとする送信用のメールデータが、操作者の指令に従って作成される。こうして作成されるメールデータは、図７に示されるように、送信先アドレス、件名、メール本文及び添付ファイル指定等から構成されている。
【００３９】
図４に戻り、次いで、ステップＳ１５において、アプリケーション３３の要求によるメール送信が行われる。かかるメール送信は、図８に示されるシーケンスに従って行われる。なお、図８は、図５及び図６と同様に、縦軸を時間軸とした時系列に表したシーケンス図である。
【００４０】
ステップＳ１５におけるメール送信では、まず、アプリケーション３３が、実行環境部３２に対して、ステップＳ１４において作成したメールデータの位置（メールデータのアドレス又はメールデータを収めたファイルへのパス）を指定したメール送信要求を通知する。このメール送信要求を受信した実行環境部３２は、基本処理部３１に対して、送信確認画面の表示要求を行うとともに、アプリケーション３３からの要求をブロックするブロック状態となる。
【００４１】
送信確認画面の表示要求を受信した基本制御部３１は、表示部１３に送信確認画面を表示する。この送信確認画面の表示例が図９に示されている。この送信確認画面におけるガイダンスに従って、操作者がメール送信を行うか否かの指定入力を行う。なお、図９の例では、メール送信を許可する場合には、「ＹＥＳ」入力が行われ、メール送信を不許可とする場合には、「ＮＯ」入力が行われるようになっている。そして、基本処理部３１は、入力結果を実行環境部３２へ通知する。
【００４２】
この通知を受けた実行環境部３２は、上述したブロック状態を解除する。そして、図９の例において「ＮＯ」入力がされたとき、すなわち、メール送信がキャンセルされたときは、実行環境部３２は、その旨をアプリケーションに通知する。
【００４３】
図８に戻り、図９の例において「ＹＥＳ」入力がされたとき、すなわちメール送信が許可されたときは、実行環境部３２は、基本処理部３１に対して、メールデータの位置を指定したメール送信要求を行う。このメール送信要求を受信した基本処理部３１は、指定されたメールデータ位置からメールデータを読み出し、メールデータのデータサイズ等の形式的な正当性、及び、携帯電話１０が通信圏内にあるか等の通信可能性をチェックする。そして、メールデータが形式的に正当性であり、かつ、通信可能であった場合には、メールの送信処理を開始し、その旨を実行環境部３２へ通知する。このメールの送信処理開始の旨を受信した実行環境部は、その旨をアプリケーション３３へ通知する。
【００４４】
メールの送信処理を開始した基本処理部３１は、送受信部２１を制御して、送信処理を行う。そして、メールの送信が終了すると、その旨を実行環境部３２へ通知するとともに、送信済メールの情報を不図示のメールボックスに格納する。メール送信の終了通知を受信した実行環境部３２は、その旨をアプリケーション３３へ通知する。なお、送信処理中に送信に関するエラーや操作者による送信中断指令がなされた場合には、基本処理部３１は、送信処理を中断してメール送信を失敗した旨を実行環境部３２へ通知し、この通知を受けた実行環境部３２は、その旨をアプリケーション３３へ通知する。こうして、ステップＳ１５が終了すると、図４の処理が終了する。
【００４５】
以上説明したように、本実施形態では、アプリケーション３３が、自身が管理する画像の圧縮を、圧縮後の目標サイズを指定して画像の圧縮処理を管理する基本処理部３１に実行環境部３２を介して要求する。引き続き、圧縮要求を受信した基本処理部３１が当該画像の圧縮処理を、画像圧縮部１９を利用して行う。そして、圧縮処理の結果が、基本処理部３１から実行環境部３２を介してアプリケーションに通知される。したがって、本実施形態によれば、携帯電話１０内のアプリケーション３３が管理する画像を適切なサイズに圧縮することができ、かつ、圧縮後のデータをアプリケーション３３が取得することができる。
【００４６】
また、アプリケーション３３の要求により圧縮した画像のデータサイズを、電子メールの送信先における受信装置の種類に応じて定めることができるので、圧縮した画像を、当該送信先で受信可能な態様で送信することができる。
【００４７】
また、アプリケーション３３が、撮像装置１８による撮像結果を適宜画像編集した結果を、所望のデータサイズに圧縮することができる。
【００４８】
なお、上記の実施形態では、圧縮要求の際に圧縮後のデータの目標サイズを指定することとしたが、圧縮要求の際にデータ圧縮率を指定することとすることもできる。
【００４９】
また、上記の実施形態では、アプリケーション３３は、圧縮要求の際に圧縮対象画像のデータそのものを基本処理部３１へ渡すこととしたが、圧縮対象画像のデータの位置（圧縮対象画像のデータのアドレス又は圧縮対象画像のデータを収めたファイルへのパス）を渡すこととしてもよい。また、基本処理部３１は，圧縮結果通知の際に圧縮結果データそのものをアプリケーション３３へ渡すこととしたが、圧縮結果データの位置（圧縮結果データのアドレス又は圧縮結果データを収めたファイルへのパス）を渡すこととしてもよい。
【００５０】
また、上記の実施形態では、送信メールに含ませる画像の圧縮について説明したが、他の用途、例えば様々なデータサイズの画像を、表示部に表示させる壁紙画像等のための画像に適切なデータサイズに圧縮する場合にも、本発明を適用することができる。
【００５１】
また、上記の実施形態では、本発明を携帯電話に適用したが、携帯電話以外の移動体端末装置に本発明を適用することができるのは勿論である。
【００５２】
【発明の効果】
以上詳細に説明したように、本発明の画像処理方法によれば、移動体端末装置内のアプリケーションの管理する画像の適切なデータサイズに圧縮することができるという効果を奏する。
【００５３】
また、本発明の画像処理装置によれば、本発明の画像処理方法を使用するので、移動体端末装置内のアプリケーションの管理する画像を適切なデータサイズに圧縮することができるという効果を奏する。
【００５４】
また、本発明の移動体端末装置によれば、本発明の画像処理装置を備えるので、アプリケーションが管理する画像を適切なデータサイズに圧縮することができるという効果を奏する。
【図面の簡単な説明】
【図１】本発明の一実施形態に係る携帯電話の外観構成を概略的に示す図である。
【図２】図１の携帯電話の機能ブロック図である。
【図３】図２の制御部で動作するソフトウエアの構成を概略的に示す図である。
【図４】図１の装置の動作を説明するためのフローチャートである。
【図５】図４における撮像ステップにおける処理を説明するためのシーケンス図である。
【図６】図４における圧縮ステップにおける処理を説明するためのシーケンス図である。
【図７】メールデータの構成要素を説明するための図である。
【図８】図４におけるメール送信ステップにおける処理を説明するためのシーケンス図である。
【図９】送信確認画面の例を示す図である。
【符号の説明】
１０…携帯電話（移動体端末装置）、１１…携帯電話本体、１２…操作部、１３…表示部、１４…通話用スピーカ、１５…マイクロフォン、１６…案内用スピーカ、１７…アンテナ（無線通信手段の一部）、１８…撮像部、１９…画像圧縮部、２１…制御部、２２…送受信部（無線通信手段の一部）、２３…記憶装置、３１…基本処理部、３２…実行環境部、３３…アプリケーション。
【図１】
2004343405.tif 000003
【図２】
2004343405.tif 000004
【図３】
2004343405.tif 000005
【図４】
2004343405.tif 000006
【図５】
2004343405.tif 000007
【図６】
2004343405.tif 000008
【図７】
2004343405.tif 000009
【図８】
2004343405.tif 000010
【図９】
2004343405.tif 000011